(57)【要約】  本発明は、少なくとも１つのＬＥＤ（Ｄ２からＤ５）に対する電流を形成するバックコンバータに関する。本発明では、補助スイッチ（Ｑ４５，Ｑ３）およびバック主スイッチ（Ｑ２）をオンオフ切り替えするために、２つのシャント抵抗（Ｒ３，Ｒ２）が設けられている。２つのシャント抵抗（Ｒ３，Ｒ２）は、一方のシャント抵抗（Ｒ２）にバックコンバータのフリーホイーリングフェーズにおいてのみ負荷電流が流れ、他方のシャント抵抗（Ｒ３）に充電フェーズおよびフリーホイーリングフェーズにおいて負荷電流が流れるように配置されている。本発明はさらに、少なくとも１つのＬＥＤ（Ｄ２からＤ５）に対して電流（ＩＬＥＤ）を形成する方法に関する。
2013536665.tif 000002
【特許請求の範囲】
【請求項１】
少なくとも１つのＬＥＤ（Ｄ２からＤ５）に対する電流を形成するバックコンバータであって、
前記バックコンバータは、
直流電圧源（Ｖ１）へ結合される第１の入力端子（Ｅ１）および第２の入力端子（Ｅ２）を含む入力側と、
少なくとも１つのＬＥＤ（Ｄ２からＤ５）へ結合される第１の出力端子（Ａ１）および第２の出力端子（Ａ２）を含む出力側と、
バックダイオード（Ｄ１）と、
バックチョーク（Ｌ１）と、
制御電極および作動電極および基準電極を有するバック主スイッチ（Ｑ２）と、
制御電極および作動電極および基準電極を有する第１の補助スイッチ（Ｑ４５）と
を備えており、
前記第１の補助スイッチ（Ｑ４５）の制御電極は、回路装置の動作中に、前記少なくとも１つのＬＥＤ（Ｄ２からＤ５）に対して形成される電流（ＩＬＥＤ）に相関する第１の電圧（ＵＲ３）が印加される第１のノードに結合されており、
前記バック主スイッチ（Ｑ２）および前記バックダイオード（Ｄ１）は直列に前記第１の入力端子（Ｅ１）と前記第２の入力端子（Ｅ２）との間に結合されており、
前記バックチョーク（Ｌ１）は前記バックダイオード（Ｄ１）および前記バック主スイッチ（Ｑ２）の接続点と前記第１の出力端子（Ａ１）との間に結合されている、
バックコンバータにおいて、
前記第１の補助スイッチ（Ｑ４５）の基準電極は、回路装置の動作中に、前記少なくとも１つのＬＥＤ（Ｄ２からＤ５）に対して形成される電流（ＩＬＥＤ）に相関する第２の電圧（ＵＲ２）が印加される第２のノードに結合されており、
前記第１の補助スイッチ（Ｑ４５）は、前記第１の電圧（ＵＲ３）によって前記バック主スイッチ（Ｑ２）のオフ時点が定められ、かつ、前記第１の電圧（ＵＲ３）および前記第２の電圧（ＵＲ２）の和によって前記バック主スイッチ（Ｑ２）のオン時点が定められるように、前記バック主スイッチ（Ｑ２）に結合されている
ことを特徴とする、バックコンバータ。
【請求項２】
前記第１の電圧（ＵＲ３）および前記第２の電圧（ＵＲ２）は、前記第１の補助スイッチ（Ｑ４５）が前記バックコンバータのフリーホイーリングフェーズにおいて導通状態から阻止状態へ移行するように選定されている、請求項１記載のバックコンバータ。
【請求項３】
前記第１の補助スイッチ（Ｑ４５）の制御電極と基準電極との間に前記第１の電圧（ＵＲ３）および前記第２の電圧（ＵＲ２）の和が結合されている、請求項１または２記載のバックコンバータ。
【請求項４】
前記バックコンバータはさらに第１のシャント抵抗（Ｒ３）と第２のシャント抵抗（Ｒ２）とを備えており、前記第１のシャント抵抗（Ｒ３）で降下する電圧が前記第１の電圧（ＵＲ３）であり、前記第２のシャント抵抗（Ｒ２）で降下する電圧が前記第２の電圧（ＵＲ２）である、請求項１から３までのいずれか１項記載のバックコンバータ。
【請求項５】
前記第１のシャント抵抗（Ｒ３）は、少なくとも前記バックコンバータの充電フェーズにおいて前記少なくとも１つのＬＥＤ（Ｄ２からＤ５）に対して形成される電流（ＩＬＥＤ）が該第１のシャント抵抗（Ｒ３）を流れるように配置されている、請求項４記載のバックコンバータ。
【請求項６】
前記第１のシャント抵抗（Ｒ３）は前記第２の出力端子（Ａ２）と基準電位との間に結合されている、請求項５記載のバックコンバータ。
【請求項７】
前記第２のシャント抵抗（Ｒ２）は、前記バックコンバータの充電フェーズでなくフリーホイーリングフェーズにおいて前記少なくとも１つのＬＥＤ（Ｄ２からＤ５）に対して形成される電流（ＩＬＥＤ）が該第２のシャント抵抗（Ｒ２）を流れるように配置されている、請求項４から６までのいずれか１項記載のバックコンバータ。
【請求項８】
前記第２のシャント抵抗（Ｒ２）は、前記バックダイオード（Ｄ１）と基準電位との間に結合されている、請求項７記載のバックコンバータ。
【請求項９】
前記第１のシャント抵抗（Ｒ３）の値は前記第２のシャント抵抗（Ｒ２）の値より大きい、請求項４から８までのいずれか１項記載のバックコンバータ。
【請求項１０】
前記バックコンバータは、制御電極および基準電極および作動電極を含む第２の補助スイッチ（Ｑ３）を備えており、前記第２の補助スイッチ（Ｑ３）の基準電極は基準電位に結合されており、前記第２の補助スイッチ（Ｑ３）の作動電極は前記バック主スイッチ（Ｑ２）の制御電極に結合されており、前記第２の補助スイッチ（Ｑ３）の制御電極は前記第１の補助スイッチ（Ｑ４５）の作動電極に結合されている、請求項１から９までのいずれか１項記載のバックコンバータ。
【請求項１１】
前記第２の補助スイッチ（Ｑ３）の制御電極はオーム抵抗（Ｒ４）を介して前記第１の入力端子（Ｅ１）に結合されている、請求項１から１０までのいずれか１項記載のバックコンバータ。
【請求項１２】
前記バック主スイッチ（Ｑ２）の制御電極はオーム抵抗（Ｒ８）を介して前記第１の入力端子（Ｅ１）に結合されている、請求項１から１１までのいずれか１項記載のバックコンバータ。
【請求項１３】
直流電圧源（Ｖ１）へ結合される第１の入力端子（Ｅ１）および第２の入力端子（Ｅ２）を含む入力側と、
少なくとも１つのＬＥＤ（Ｄ２からＤ５）へ結合される第１の出力端子（Ａ１）および第２の出力端子（Ａ２）を含む出力側と、
バックダイオード（Ｄ１）と、
バックチョーク（Ｌ１）と、
制御電極および作動電極および基準電極を有するバック主スイッチ（Ｑ２）と、
制御電極および作動電極および基準電極を有する第１の補助スイッチ（Ｑ４５）と
を備えており、
前記第１の補助スイッチ（Ｑ４５）の制御電極は、回路装置の動作中に、前記少なくとも１つのＬＥＤ（Ｄ２からＤ５）に対して形成される電流（ＩＬＥＤ）に相関する第１の電圧（ＵＲ３）が印加される第１のノードに結合されており、
前記バック主スイッチ（Ｑ２）および前記バックダイオード（Ｄ１）は直列に前記第１の入力端子（Ｅ１）と前記第２の入力端子（Ｅ２）との間に結合されており、
前記バックチョーク（Ｌ１）は前記バックダイオード（Ｄ１）および前記バック主スイッチ（Ｑ２）の接続点と前記第１の出力端子（Ａ１）との間に結合されている、
バックコンバータにより、
少なくとも１つのＬＥＤ（Ｄ２からＤ５）に対する電流を形成する方法において、
ａ）前記第１の補助スイッチ（Ｑ４５）を前記バック主スイッチ（Ｑ２）に結合するステップと、
ｂ）前記第１の電圧（ＵＲ３）を前記第１の補助スイッチ（Ｑ４５）の制御電極へ供給するステップと、
ｃ）前記少なくとも１つのＬＥＤ（Ｄ２からＤ５）に対して形成される電流（ＩＬＥＤ）に相関する第２の電圧（ＵＲ２）を前記第１の補助スイッチ（Ｑ４５）の基準電極へ供給するステップと
を含み、
前記ステップａ）において、前記第１の電圧（ＵＲ３）によって前記バック主スイッチ（Ｑ２）のオフ時点が定められ、かつ、前記第１の電圧（ＵＲ３）および前記第２の電圧（ＵＲ２）の和によって前記バック主スイッチ（Ｑ２）のオン時点が定められるように、前記第１の補助スイッチ（Ｑ４５）を前記バック主スイッチ（Ｑ２）に結合する
ことを特徴とする、少なくとも１つのＬＥＤ（Ｄ２からＤ５）に対する電流を形成する方法。
【発明の詳細な説明】
【技術分野】
【０００１】
本発明は、少なくとも１つのＬＥＤに対する電流を形成するバックコンバータであって直流電圧源へ結合される第１の入力端子および第２の入力端子を含む入力側と、少なくとも１つのＬＥＤへ結合される第１の出力端子および第２の出力端子を含む出力側と、バックダイオードと、バックチョークと、制御電極および作動電極および基準電極を有するバック主スイッチと、制御電極および作動電極および基準電極を有する第１の補助スイッチとを備えており、第１の補助スイッチの制御電極は、回路装置の動作中に、少なくとも１つのＬＥＤに対して形成される電流に相関する第１の電圧が印加される第１のノードに結合されており、バック主スイッチおよびバックダイオードは直列に第１の入力端子と第２の入力端子との間に結合されており、バックチョークはバックダイオードおよびバック主スイッチの接続点と第１の出力端子との間に結合されている、バックコンバータに関する。本発明はさらに、少なくとも１つのＬＥＤに対する電流を形成する方法に関する。
【０００２】
従来技術
ＬＥＤが一般照明の広範な領域へ浸透してくるにつれ、こうしたデバイス用の簡単かつ低コストの給電回路への要求が大きくなっている。最近は、特に、こうした要求に対して考案された多数の集積回路が存在している。単に例として挙げるなら、ナショナル社のＬＭ３４０２やLinear Technology社のＬＴ３４７４などが挙げられる。ただし、こうした集積回路は、大量生産での使用に対しては高価で柔軟性に欠けることが多い。したがって、少なくとも１つのＬＥＤに対する給電回路をできるだけ低コストに実現する必要が生じる。少なくとも１つのＬＥＤに対する電流を形成するための低コストのバックコンバータは、国際公開第２００９／０８９９１２号から公知である。集積回路によって実現されるのと同等のパラメータの条件を有するバックコンバータにより、きわめて小さな製造コストおよび必要スペースが可能となっている。
【０００３】
国際公開第２００８／１３２６５８号からは、上述した国際公開第２００９／０８９９１２号とは異なり、臨界伝導モード（クリティカルコンダクションモード）または遷移モード（トランジションモード）のみで動作可能な自由振動回路が公知である。この文献の教説によれば、制御半導体とパワースイッチ半導体との間で増幅トランジスタが使用される。この増幅トランジスタは、パワースイッチ半導体をスイッチオフするためのバイポーラサイリスタのシミュレーションに他ならない。
【０００４】
国際公開第２００８／００１２４６号からは、一定の電流で負荷を駆動する回路装置が公知である。当該回路装置は、制御回路の制御によって、出力電流の平均値に対する出力電圧の変化分の効果が補償されるようにするための電圧センサを含んでいる。
【０００５】
米国公開第２００７／００１３３２３号は、ＬＥＤへ供給される電流に対する制御回路に関しており、ここには、ＬＥＤを連続モード（コンティニュアスモード）で駆動するバックコンバータの基本構造が示されている。
【０００６】
その他の従来技術は、Kelvin Ka-Shing Leung, Henry Shu-Hung Chung, "Dynamic Hysteresis Band Control of the Buck Converter with Fast Transient Response", IEEE TRANSACTIONS ON CIRCUITS AND SYSTEMS-II: EXPRESS BRIEFS, Vol.52, No.7, July 2005に示されている。
【０００７】
発明の開示
したがって、本発明の課題は、国際公開第２００９／０８９９１２号から公知のバックコンバータおよび少なくとも１つのＬＥＤ用の電流を形成する方法を改善し、バックコンバータの効率を高めつつ、これをさらに低コストに実現できるようにすることである。
【０００８】
本発明は、適切な駆動が行われれば、国際公開第２００９／０８９９１２号の第１の補助スイッチおよび第２の補助スイッチを唯一の補助スイッチで置換できるという認識を基礎としている。これにより、バックコンバータを低コストに実現できる。さらに、以下に詳細に述べるように、バックコンバータの効率をさらに高めることができる。なぜなら、本発明においては、２つの電流測定シャント抵抗の和が国際公開第２００９／０８９９１２号から公知の手段よりも小さく保たれるからである。
【０００９】
つまり、本発明によれば、第１の補助スイッチの基準電極が、回路装置の動作中に、少なくとも１つのＬＥＤに対して形成される電流に相関する第２の電圧の印加される第２のノードに結合されており、第１の補助スイッチは、第１の電圧によってバック主スイッチのオフ時点が定められ、かつ、第１の電圧および第２の電圧の和によってバック主スイッチのオン時点が定められるように、バック主スイッチに結合されている。
【００１０】
有利な実施形態では、第１の補助スイッチの制御電極と基準電極との間に第１の電圧および第２の電圧の和が結合される。
【００１１】
別の有利な実施形態では、第１の電圧および第２の電圧は、第１の補助スイッチがバックコンバータのフリーホイーリングフェーズにおいて導通状態から阻止状態へ移行するように選定される。これにより、第１の電圧および第２の電圧の双方を、バックコンバータのフリーホイーリングフェーズにおいて同じ電流の流れる２つのオーム抵抗で取り出す手段が得られる。こうして、第１の補助スイッチが阻止状態へ移行する時点を、特に簡単に、相応の電圧が取り出されるオーム抵抗の値を選定することによって調整できる。
【００１２】
有利には、バックコンバータはさらに第１のシャント抵抗と第２のシャント抵抗とを備えており、ここで、第１のシャント抵抗で降下する電圧が第１の電圧であり、第２のシャント抵抗で降下する電圧が第２の電圧である。上述したように、シャント抵抗の簡単な設定により、バック主スイッチのオン時点およびオフ時点を定めることができる。こうして、少なくとも１つのＬＥＤに対して形成される電流の最大値および最小値を簡単に定めることができる。
【００１３】
有利には、第１のシャント抵抗は、少なくともバックコンバータの充電フェーズにおいて、少なくとも１つのＬＥＤに対して形成される電流がこの第１のシャント抵抗を流れるように配置される。特に有利には、第１のシャント抵抗には、充電フェーズとフリーホイーリングフェーズとの双方において、少なくとも１つのＬＥＤに対して形成される電流が流れる。これに関連して、有利な実施形態では、第１のシャント抵抗は第２の出力端子と基準電位との間に結合される。バックコンバータの充電フェーズではバックダイオードの配置された分岐には電流が流れないので、第１のシャント抵抗をこのように配置すれば、少なくとも１つのＬＥＤに対して形成される電流の最大値を調整することができる。第１のシャント抵抗が第２の出力端子と基準電位との間に配置されることにより、第１の電圧が基準電位に対して生じ、補助スイッチに特に簡単に結合することができる。
【００１４】
有利には、第２のシャント抵抗は、バックコンバータの充電フェーズでなくフリーホイーリングフェーズにおいて、少なくとも１つのＬＥＤに対して形成される電流がこの第２のシャント抵抗を流れるように配置される。これに関連して、第２のシャント抵抗がバックダイオードと基準電位との間に結合されると、特に有利である。この場合にも、補助スイッチが同様に基準電位に結合されれば、第２の電圧を補助スイッチへ特に簡単に結合できる。
【００１５】
別の有利な実施形態では、第１のシャント抵抗の値は第２のシャント抵抗の値より大きい。これにより、２つの抵抗に同じ電流が流れるにもかかわらず、第１の電圧がバックコンバータのフリーホイーリングフェーズで第２の電圧よりも大きくなることが保証される。このため、第１のシャント抵抗の値によりＬＥＤに対して形成される電流の最大値が定められ、一方、第１のシャント抵抗の値と第２のシャント抵抗の値との和によりＬＥＤに対して形成される電流の最小値が定められる。
【００１６】
別の有利な実施形態では、バックコンバータに、制御電極および基準電極および作動電極を含む第２の補助スイッチが設けられ、第２の補助スイッチの基準電極は基準電位に結合され、第２の補助スイッチの作動電極はバック主スイッチの制御電極に結合され、第２の補助スイッチの制御電極は第１の補助スイッチの作動電極に結合される。この手段により、まず、第１の補助スイッチが第２の補助スイッチを駆動し、ついで、第２の補助スイッチがバック主スイッチを駆動する。この場合、有利には、第２の補助スイッチの制御電極がオーム抵抗を介して第１の入力端子に結合される。これにより、給電直流電圧がバックコンバータの入力側に印加される際に、第２の補助スイッチがバック主スイッチをスイッチオンし、本発明のバックコンバータを始動させることが保証される。
【００１７】
さらに有利には、バック主スイッチの制御電極がオーム抵抗を介して第１の入力端子に結合される。これにより、バック主スイッチがバイポーラトランジスタとして実現される場合、バック主スイッチのベース電極の減衰が加速される。こうして、スイッチング時間をいっそう短くすることができる。
【００１８】
他の有利な実施形態は従属請求項に記載されている。
【００１９】
本発明のバックコンバータについて説明した実施形態および利点は、本発明の少なくとも１つのＬＥＤに対する電流を形成する方法にも適用可能である。
【図面の簡単な説明】
【００２０】
【図１】本発明のバックコンバータを示す概略図である。
【００２１】
以下に、本発明のバックコンバータの実施例を、添付したバックコンバータの概略図を参照しながら、詳細に説明する。
【００２２】
本発明の有利な実施例
図１には、本発明のバックコンバータの実施例の概略図が示されている。バックコンバータは、第１の入力端子Ｅ１と第２の入力端子Ｅ２と含む入力側を有しており、これらの入力端子間にここでは２４Ｖの直流低電圧源Ｖ１が結合されている。以下では、本発明を、例えばバッテリとして構成可能なこうした直流低電圧源から給電する実施例に則して説明するが、もちろん、当業者にとって従来周知の装置を前置接続することにより、電力系統電圧（１００Ｖから２３０Ｖ）から給電することも可能である。
【００２３】
第２の入力端子Ｅ２は基準電位に結合されている。第１の入力端子Ｅ１と第２の入力端子Ｅ２との間に、バック主スイッチＱ２とバックダイオードＤ１とオーム抵抗Ｒ２との直列回路が結合されている。バック主スイッチＱ２およびバックダイオードＤ１の接続点と第１の出力端子Ａ１との間にはバックチョークＬ１が結合されている。第１の出力端子Ａ１と第２の出力端子Ａ２との間には複数のＬＥＤ（Ｄ２からＤ５）が結合されている。第２の出力端子Ａ２と基準電位との間にはオーム抵抗Ｒ３が結合されている。オーム抵抗Ｒ３で降下する電圧はオーム抵抗Ｒ７を介して第１の補助スイッチＱ４５のベースへ結合される。第１の補助スイッチＱ４５のエミッタは、バックダイオードＤ１に直列に結合されているオーム抵抗Ｒ２を介して、同様に基準電位へ接続されている。第１の補助スイッチＱ４５のコレクタはオーム抵抗Ｒ４を介して第１の入力端子Ｅ１へ結合されている。オーム抵抗Ｒ４と第１の補助スイッチＱ４５のコレクタとが結合されているノードは、第２の補助スイッチＱ３のベースに結合されている。第２の補助スイッチＱ３のエミッタは基準電位に結合されている。第２の補助スイッチＱ３のベースからエミッタへの区間に対して並列に、コンデンサＣ１が結合されている。バック主スイッチＱ２のベースと第１の入力端子Ｅ１との間にはオーム抵抗Ｒ８が接続されている。さらに、バック主スイッチＱ２のベースと第２の補助スイッチＱ３のコレクタとの間に、オーム抵抗Ｒ１とコンデンサＣ２との並列回路が結合されている。
【００２４】
動作は次のようになる：第１の入力端子Ｅ１と第２の入力端子Ｅ２との間の直流電圧源Ｖ１から直流電圧が印加された後、第２の補助スイッチＱ３がオーム抵抗Ｒ４を介して導通状態へ切り替えられる。第２の補助スイッチＱ３のコレクタからエミッタへ流れる電流により、オーム抵抗Ｒ１とコンデンサＣ２との並列回路を介して、バック主スイッチＱ２が導通状態へ切り替えられる。こうしてバックコンバータの充電フェーズが開始される。この場合、電流は、バック主スイッチＱ２，バックチョークＬ１，各ＬＥＤ（Ｄ２からＤ５），オーム抵抗Ｒ３および基準電位を介して流れ、第２の出力端子Ａ２へ戻る。バックダイオードＤ１が阻止されているかぎり、第１の補助スイッチＱ４５のエミッタは基準電位に置かれる。負荷電流ＩＬＥＤの増大により、オーム抵抗Ｒ３で降下する電圧ＵＲ３は、第１の補助スイッチＱ４５の約０．６Ｖのベース‐エミッタ閾値電圧が上方超過されて、第１の補助スイッチＱ４５が導通状態へ切り替えられるまで、上昇する。これにより、オーム抵抗Ｒ４を介して第２の補助スイッチＱ３へ供給されていたベース電流が、第１の補助スイッチＱ４５を介して基準電位へ導かれる。こうして第２の補助スイッチＱ３は非導通状態へ移行し、その結果、バック主スイッチＱ２がオフ状態へ切り替えられる。こうしてバックコンバータのフリーホイーリングフェーズが開始される。
【００２５】
フリーホイーリングフェーズでは、電流が、基準電位から、オーム抵抗Ｒ２，バックダイオードＤ１，バックチョークＬ１，各ＬＥＤ（Ｄ２からＤ５）およびオーム抵抗Ｒ３を介して流れ、基準電位へ戻る。オーム抵抗Ｒ２で降下する電圧ＵＲ２により、まず第１の補助スイッチＱ４５が導通状態へ切り替えられる。電流ＩＬＥＤがバックチョークＬ１の脱磁によって低下するので、第１の補助スイッチＱ４５のベース‐エミッタ電圧ＵＢＥ、すなわち、
ＵＢＥ（Ｑ４５）＝（Ｒ２＋Ｒ３）・ＩＬＥＤ
も低下する。第２の補助スイッチＱ３のベース‐エミッタ電圧ＵＢＥが０．６Ｖの閾値電圧を下回ると、第１の補助スイッチＱ４５は阻止状態へ切り替えられる。これにより、第２の補助スイッチＱ３はオーム抵抗Ｒ４を介して再びオン状態へ切り替えられ、その結果、バック主スイッチＱ２がオン状態へ切り替えられる。
【００２６】
したがって、ＬＥＤ電流ＩＬＥＤの上方限界値は、
ＩＬＥＤｍａｘ＝ＵＢＥＦ（Ｑ４５）／Ｒ３
として定められ、ＬＥＤ電流ＩＬＥＤの下方限界値は、
ＩＬＥＤｍｉｎ＝ＵＢＥＦ（Ｑ４５）／（Ｒ２＋Ｒ３）
として定められる。三角形状の電流ＩＬＥＤの周波数は、入力電圧Ｖ１と、ＬＥＤ（Ｄ２からＤ５）で降下する電圧と、バックチョークＬ１のインダクタンスと、最小ＬＥＤ電流ＩＬＥＤｍｉｎおよび最大ＬＥＤ電流ＩＬＥＤｍａｘに対する限界値とによって定められる。
【００２７】
第１の補助スイッチＱ４５はベース回路で駆動される。それは、上述した３つの基本回路のうち最も高速な回路である。よって、バック主スイッチＱ２および第２の補助スイッチＱ３に対して迅速なタイプのスイッチを選択することにも意味がある。これに関連して、バック主スイッチＱ２をＭＯＳＦＥＴとして実現すると有利である。バックコンバータの各スイッチの高いスイッチング速度により、効率がさらに改善され、および／または、高いスイッチング周波数が得られ、インダクタンスＬ１の構造に必要なスペースを小さくできる。
【００２８】
国際公開第２００９／０８９９１２号のバックコンバータに比べ、本発明のバックコンバータのオーム抵抗Ｒ２の値は、
Ｒ２（本発明）＝Ｒ２（国際公開第２００９／０８９９１２号）−Ｒ３（国際公開第２００９／０８９９１２号）
となる。このため、オーム抵抗Ｒ２の値は国際公開第２００９／０８９９１２号から知られる抵抗値に比べて格段に小さい。これにより生じる損失もいちじるしく小さくなり、本発明のバックコンバータの効率は公知のバックコンバータの効率を上回るようになる。これに関連して、特に指摘したいのは、負荷回路電流ＩＬＥＤがオーム抵抗を流れるため、抵抗値が最小まで低減され、効率が向上するということである。
2013536665.tif 000003
【国際調査報告】
2013536665.tif 000004
2013536665.tif 000005
2013536665.tif 000006
2013536665.tif 000007